(57)【要約】【課題】表示制御装置から表示装置に送信される映像データの信頼性がないと判定したときに適切に対処する。【解決手段】表示制御装置２は、映像データを表示装置に送信する映像データ送信部２ｆ，２ｇと、映像データ送信部から表示装置に送信される映像データの信頼性を判定する第１信頼性判定部１２ａと、映像データ送信部から表示装置に送信される映像データの信頼性がないと第１信頼性判定部により判定されると、第１所定処理を実施する第１所定処理実施部１２ｂと、を備える。【選択図】図１
2020147145.tif 000002
【特許請求の範囲】
【請求項１】
映像データを表示装置に送信する映像データ送信部（２ｆ，２ｇ）と、
前記映像データ送信部から前記表示装置に送信される映像データの信頼性を判定する第１信頼性判定部（１２ａ）と、
前記映像データ送信部から前記表示装置に送信される映像データの信頼性がないと前記第１信頼性判定部により判定されると、第１所定処理を実施する第１所定処理実施部（１２ｂ）と、を備える表示制御装置。
【請求項２】
前記第１信頼性判定部は、自装置と前記表示装置との間で送受信される信号の通信途絶又は通信異常のうち少なくとも何れかを判定し、前記映像データ送信部から前記表示装置に送信される映像データの信頼性を判定する請求項１に記載した表示制御装置。
【請求項３】
前記映像データ送信部から前記表示装置への映像データの送信を制御する第１制御部（２ａ）を備え、
前記第１信頼性判定部は、前記第１制御部と前記映像データ送信部との間で入出力される信号の通信途絶又は通信異常のうち少なくとも何れかを判定し、前記映像データ送信部から前記表示装置に送信される映像データの信頼性を判定する請求項１に記載した表示制御装置。
【請求項４】
前記第１所定処理実施部は、前記第１所定処理として前記映像データ送信部をリセットする請求項１から３の何れか一項に記載した表示制御装置。
【請求項５】
前記第１所定処理実施部は、前記第１所定処理として前記表示装置に報知動作を実施させる請求項１から３の何れか一項に記載した表示制御装置。
【請求項６】
前記第１所定処理実施部は、前記第１所定処理として前記表示装置のバックライトを消灯させる請求項１から３の何れか一項に記載した表示制御装置。
【請求項７】
表示制御装置から映像データを受信する映像データ受信部（３ｅ，４ｅ）と、
前記映像データ受信部により受信された映像データに対応する映像を表示する表示部（３ｆ，４ｆ）と、
前記表示制御装置から前記映像データ受信部により受信される映像データの信頼性を判定する第２信頼性判定部（１３ａ）と、
前記表示制御装置から前記映像データ受信部により受信される映像データの信頼性がないと前記第２信頼性判定部により判定されると、第２所定処理を実施する第２所定処理実施部（１３ｂ）と、を備える表示装置。
【請求項８】
前記第２信頼性判定部は、自装置と前記表示制御装置との間で送受信される信号の通信途絶又は通信異常のうち少なくとも何れかを判定することで、前記表示制御装置から前記映像データ受信部により受信される映像データの信頼性を判定する請求項７に記載した表示装置。
【請求項９】
前記表示制御装置から前記映像データ受信部への映像データの受信を制御する第２制御部（３ａ，４ａ）を備え、
前記第２信頼性判定部は、前記第２制御部と前記映像データ受信部との間で入出力される信号の通信途絶又は通信異常のうち少なくとも何れかを判定することで、前記映像データ送信部から前記表示装置に送信される映像データの信頼性を判定する請求項８に記載した表示装置。
【請求項１０】
前記第２所定処理実施部は、前記第２所定処理として前記映像データ受信部をリセットする請求項７から９の何れか一項に記載した表示装置。
【請求項１１】
前記第２所定処理実施部は、前記第２所定処理として報知動作を実施する請求項７から９の何れか一項に記載した表示装置。
【請求項１２】
前記第２所定処理実施部は、前記第２所定処理としてバックライトを消灯する請求項７から９の何れか一項に記載した表示装置。
【請求項１３】
映像データを表示装置に送信する表示制御装置（２）と、
表示制御装置から映像データを受信し、その受信した映像データに対応する映像を表示部に表示する表示装置（３）と、
前記表示制御装置から前記表示装置に送信される映像データの信頼性を判定する信頼性判定部（１２ａ，１３ａ）と、
前記映像データ送信部から前記表示装置に送信される映像データの信頼性がないと前記信頼性判定部により判定されると、所定処理を実施する処理実施部（１２ｂ，１３ｂ）と、を備える表示制御システム。
【請求項１４】
映像データを表示装置に送信する表示制御装置（２）の制御部（２ａ）に、
前記表示制御装置から前記表示装置に送信される映像データの信頼性を判定する第１信頼性判定手順と、
前記表示制御装置から前記表示装置に送信される映像データの信頼性がないと前記第１信頼性判定手順により判定すると、第１所定処理を実施する第１所定処理実施手順と、を実行させる信頼性判定プログラム。
【請求項１５】
表示制御装置から映像データを受信し、その受信した映像データに対応する映像を表示する表示部を備える表示装置（３，４）の制御部（３ａ，４ａ）に、
前記表示制御装置から前記表示装置により受信される映像データの信頼性を判定する第２信頼性判定手順と、
前記表示制御装置から前記表示装置により受信される映像データの信頼性がないと前記第２信頼性判定手順により判定すると、第２所定処理を実施する第２所定処理実施手順と、を実行させる信頼性判定プログラム。
【発明の詳細な説明】
【技術分野】
【０００１】
本発明は、表示制御装置、表示装置、表示制御システム及び信頼性判定プログラムに関する。
【背景技術】
【０００２】
表示部を有する表示装置と、表示装置の表示部に表示される映像を制御する表示制御装置とを有する表示制御システムが供されている（例えば特許文献１参照）。
【先行技術文献】
【特許文献】
【０００３】
【特許文献１】特開２００４−２４９８３６号公報
【発明の概要】
【発明が解決しようとする課題】
【０００４】
この種の表示制御システムでは、表示制御装置から表示装置に映像データが送信されることで、その映像データに対応する映像が表示装置に表示される。例えば表示装置が車載のメータ装置であれば、表示制御装置からメータ装置に映像データが送信されることで、例えば燃料の残量や走行距離等の映像がメータ装置に表示される。表示制御装置から表示装置に映像データが送信されることで、その映像データに対応する映像が表示装置に表示される構成では、表示装置においては、表示部に表示する映像が正規な映像であるか不正な映像であるかを判定不能である。そのため、表示制御装置から表示装置に送信される映像データの信頼性を判定し、信頼性がないと判定したときに適切に対処する仕組みが求められている。
【０００５】
本発明は、上記した事情に鑑みてなされたものであり、その目的は、表示制御装置から表示装置に送信される映像データの信頼性がないと判定したときに適切に対処することができる表示制御装置、表示装置、表示制御システム及び信頼性判定プログラムを提供することにある。
【課題を解決するための手段】
【０００６】
請求項１に記載した表示制御装置によれば、映像データ送信部（２ｆ，２ｇ）は、映像データを表示装置に送信する。第１信頼性判定部（１２ａ）は、映像データ送信部から表示装置に送信される映像データの信頼性を判定する。第１所定処理実施部（１２ｂ）は、映像データ送信部から表示装置に送信される映像データの信頼性がないと第１信頼性判定部により判定されると、第１所定処理を実施する。
【０００７】
映像データ送信部から表示装置に送信される映像データの信頼性を判定し、信頼性がないと判定すると、第１所定処理を実施するようにした。これにより、表示制御装置から表示装置に送信される映像データの信頼性がないと判定したときに適切に対処することができる。
【０００８】
請求項７に記載した表示装置によれば、映像データ受信部（３ｅ，４ｅ）は、表示制御装置から映像データを受信する。表示部（３ｆ，４ｆ）は、映像データ受信部により受信された映像データに対応する映像を表示する。第２信頼性判定部（１３ａ）は、表示制御装置から映像データ受信部により受信される映像データの信頼性を判定する。第２所定処理実施部（１３ｂ）は、表示制御装置から映像データ受信部により受信される映像データの信頼性がないと第２信頼性判定部により判定されると、第２所定処理を実施する。
【０００９】
表示制御装置から映像データ受信部により受信される映像データの信頼性を判定し、信頼性がないと判定すると、第２所定処理を実施するようにした。これにより、請求項１に記載した表示制御装置と同様に、表示制御装置から表示装置に送信される映像データの信頼性がないと判定したときに適切に対処することができる。
【００１０】
請求項１３に記載した表示制御システムによれば、表示制御装置（２）は、映像データを表示装置に送信する。表示装置（３）は、表示制御装置から映像データを受信し、その受信した映像データに対応する映像を表示部に表示する。信頼性判定部（１２ａ，１３ａ）は、表示制御装置から表示装置に送信される映像データの信頼性を判定する。所定処理実施部（１２ｂ，１３ｂ）は、映像データ送信部から表示装置に送信される映像データの信頼性がないと信頼性判定部により判定されると、所定処理を実施する。これにより、請求項１に記載した表示制御装置及び請求項８に記載した表示装置と同様に、表示制御装置から表示装置に送信される映像データの信頼性がないと判定したときに適切に対処することができる。
【図面の簡単な説明】
【００１１】
【図１】第１実施形態の全体構成を示す機能ブロック図
【図２】メータ装置を示す図
【図３】表示制御ＥＣＵの制御部及びメータ装置の制御部の構成を示す図
【図４】処理の流れを示す図（その１）
【図５】処理の流れを示す図（その２）
【図６】処理の流れを示す図（その３）
【図７】処理の流れを示す図（その４）
【図８】処理の流れを示す図（その５）
【図９】処理の流れを示す図（その６）
【図１０】第２実施形態を示し、処理の流れを示す図（その７）
【図１１】処理の流れを示す図（その８）
【図１２】第３実施形態を示し、制御部と信号変換ＩＣとの間の信号を示す図
【図１３】処理の流れを示す図（その９）
【図１４】処理の流れを示す図（その１０）
【図１５】処理の流れを示す図（その１１）
【図１６】処理の流れを示す図（その１２）
【発明を実施するための形態】
【００１２】
（第１実施形態）
以下、第１実施形態について図１から図９を参照して説明する。図１に示すように、表示制御システム１は、表示制御ＥＣＵ（Electronic Control Unit）２（表示制御装置）と、運転席の前方に配置されているメータ装置３（表示装置）と、運転席と助手席との間のセンターコンソールに配置されているセンターディスプレイ装置４（表示装置）とを有する。表示制御ＥＣＵ２は、表示制御の機能に加え、ＨＭＩ（Human Machine Interface）の機能を有し、ＨＣＵ（ＨＭＩControl Unit）として機能する。表示制御ＥＣＵ２は、メータ装置３と車載ネットワーク５を介してデータ通信可能に接続されていると共に、センターディスプレイ装置４とデータ通信線６を介してデータ通信可能に接続されている。又、表示制御ＥＣＵ２及びメータ装置３は、車両側ＥＣＵ７と車載ネットワーク５を介してデータ通信可能に接続されている。車載ネットワーク５は、例えばＣＡＮ（Controller Area Network）（登録商標）等である。
【００１３】
表示制御ＥＣＵ２は、映像データをメータ装置３及びセンターディスプレイ装置４に送信することで、メータ装置３及びセンターディスプレイ装置４における映像の表示を集中制御する。メータ装置３は、表示制御ＥＣＵ２から送信された映像データが受信されることで、例えば燃料の残量や走行距離等の安心安全に関する映像を表示する。センターディスプレイ装置４は、表示制御ＥＣＵ２から送信された映像データが受信されることで、例えばオーディオ情報やナビゲーション情報等のインフォテイメントに関する映像を表示する。
【００１４】
本実施形態では、表示制御ＥＣＵ２がメータ装置３とセンターディスプレイ装置４との２つの表示装置における映像の表示を集中制御する構成を例示しているが、表示制御ＥＣＵ２が１つの表示装置における映像の表示を制御する構成でも良いし、３つ以上の表示装置における映像の表示を集中制御する構成でも良い。表示制御ＥＣＵ２が映像の表示を制御する表示装置は、ヘッドアップディスプレイ装置、マルチインフォメーションディスプレイ装置、車室内に持ち込まれた例えばスマートフォンやタブレット等のモバイル機器等であっても良い。
【００１５】
図２に示すように、メータ装置３は、車速に連動して指針８ａが回転駆動するアナログ指針式の車速メータ８と、エンジンの回転数に連動して指針９ａが回転駆動するアナログ指針式のタコメータ９と、各種車両状態を表示するディスプレイ３ｆとを有する。ディスプレイ３ｆは、車速メータ８とタコメータ９との間に配置されている。メータ装置３が起動状態では、ディスプレイ３ｆは、燃料の残量、積算アイドリングストップ時間、積算節約燃料、ＯＤＯ距離（図２の例示では１２３４５６ｋｍ）、ＴＲＩＰ距離（図２の例示では１２３４．５ｋｍ）を映像として表示可能である。尚、メータ装置３は、車速や回転数も映像により表示可能な構成であっても良く、所謂フルディスプレイの構成であっても良い。
【００１６】
表示制御ＥＣＵ２は、制御部２ａ（第１制御部）と、電源回路２ｂと、第１通信ＩＦ部２ｃと、第２通信ＩＦ部２ｄと、ＧＤＣ（Graphic Display Controller）２ｅと、第１信号変換ＩＣ（Integrated Circuit）２ｆ（映像データ送信部）と、第２信号変換ＩＣ２ｇ（映像データ送信部）と、フラッシュＲＯＭ（Read Only Memory）２ｈとを有する。
【００１７】
制御部２ａは、ＭＰＵ（Micro Processing Unit）を主体として構成されており、制御プログラムを実行し、表示制御ＥＣＵ２の動作全般を制御する。制御部２ａが実行する制御プログラムには表示制御プログラムが含まれる。電源回路２ｂは、動作電源を表示制御ＥＣＵ２の内部の各機能ブロックに供給する。第１通信ＩＦ部２ｃは、車載ネットワーク５を介したメータ装置３との間のデータ通信を制御する。第２通信ＩＦ部２ｄは、データ通信線６を介したセンターディスプレイ装置４との間のデータ通信を制御する。ＧＤＣ２ｅは、フラッシュＲＯＭ２ｈに格納されているデータを読出し、その読出したデータを加工して映像データを生成する。
【００１８】
第１信号変換ＩＣ２ｆは、ＧＤＣ２ｅから映像データを入力すると、その入力した映像データをメータ装置３にＬＶＤＳ（Low Voltage Differential Signaling）通信により送信する。第２信号変換ＩＣ２ｇは、ＧＤＣ２ｅから映像データを入力すると、その入力した映像データをＬＶＤＳ通信によりセンターディスプレイ装置４に送信する。ＬＶＤＳ通信は、ＧＶＩＦ（Gigabit Video Interface）、ＧＭＳＬ（Gigabit Multimedia Serial Link）、ＨＤＭＩ（High-Definition Multimedia Interface）（登録商標）、Ｅｔｈｅｒｎｅｔ（登録商標）等である。
【００１９】
メータ装置３は、制御部３ａ（第２制御部）と、電源回路３ｂと、通信ＩＦ部３ｃと、スイッチＩＦ部３ｄと、信号変換ＩＣ３ｅ（映像データ受信部）と、ディスプレイ３ｆ（表示部）と、バックライト３ｇと、音声ＩＣ３ｈと、スピーカ３ｉと、ＩＦ部３ｊと、インジケータ３ｋとを有する。
【００２０】
制御部３ａは、ＭＰＵを主体として構成されており、制御プログラムを実行し、メータ装置３の動作全般を制御する。制御部３ａが実行する制御プログラムには表示プログラムが含まれる。電源回路３ｂは、動作電源をメータ装置３の内部の各機能ブロックに供給する。通信ＩＦ部３ｃは、車載ネットワーク５を介した表示制御ＥＣＵ２との間のデータ通信を制御する。スイッチＩＦ部３ｄは、ＯＤＯ／ＴＲＩＰスイッチ１０のオンオフを検知し、その検知結果を制御部３ａに出力する。信号変換ＩＣ３ｅは、表示制御ＥＣＵ２から送信された映像データを受信すると、その受信した映像データをメータ装置３の規格に準拠して変換し、その変換した映像データをディスプレイ３ｆに出力する。
【００２１】
ディスプレイ３ｆは、例えばＴＦＴ（Thin-Film-Transistor）液晶ディスプレイであり、信号変換ＩＣ３ｅから映像データを入力すると、その入力した映像データをデコードし、その映像データに対応する映像を表示する。バックライト３ｇは、制御部３ａから点灯指令を入力すると点灯し、制御部３ａから消灯指令を入力すると消灯する。音声ＩＣ３ｈは、制御部３ａから音声出力指令を入力すると、その入力した音声出力指令にしたがって音声をスピーカ３ｉから出力させる。ＩＦ部３ｊは、制御部３ａから表示指令を入力すると、その入力した表示指令にしたがってインジケータ３ｋを表示させる。
【００２２】
センターディスプレイ装置４は、制御部４ａ（第２制御部）と、電源回路４ｂと、通信ＩＦ部４ｃと、スイッチＩＦ部４ｄと、信号変換ＩＣ４ｅ（映像データ受信部）と、ディスプレイ４ｆ（表示部）と、バックライト４ｇと、ＩＦ部４ｈと、インジケータ４ｉとを有する。
【００２３】
制御部４ａは、ＭＰＵを主体として構成されており、制御プログラムを実行し、センターディスプレイ装置４の動作全般を制御する。制御部４ａが実行する制御プログラムには表示プログラムが含まれる。電源回路４ｂは、動作電源をセンターディスプレイ装置４の内部の各機能ブロックに供給する。通信ＩＦ部４ｃは、データ通信線６を介した表示制御ＥＣＵ２との間のデータ通信を制御する。スイッチＩＦ部４ｄは、外部スイッチ１１のオンオフを検知し、その検知結果を制御部４ａに出力する。信号変換ＩＣ３ｅは、表示制御ＥＣＵ２から送信された映像データを受信すると、その受信した映像データをセンターディスプレイ装置４の規格に準拠して変換し、その変換した映像データをディスプレイ４ｆに出力する。
【００２４】
ディスプレイ４ｆは、例えばＴＦＴ液晶ディスプレイであり、信号変換ＩＣ４ｅから映像データを入力すると、その入力した映像データをデコードし、その映像データに対応する映像を表示する。バックライト４ｇは、制御部４ａから点灯指令を入力すると点灯し、制御部４ａから消灯指令を入力すると消灯する。ＩＦ部４ｈは、制御部４ａから表示指令を入力すると、その入力した表示指令にしたがってインジケータ４ｉを表示させる。
【００２５】
表示制御ＥＣＵ２の第１信号変換ＩＣ２ｆとメータ装置３の信号変換ＩＣ３ｅとの間は同軸ケーブル又は差動ケーブルにより接続されている。表示制御ＥＣＵ２の第１信号変換ＩＣ２ｆは、映像データ、シリアルデータ（ＵＡＲＴ、Ｉ２Ｃ、ＳＰＩ等）、汎用出力データを高速のシリアル信号に変換し、その変換した高速のシリアル信号をメータ装置３の信号変換ＩＣ３ｅに送信する。メータ装置３の信号変換ＩＣ３ｅは、表示制御ＥＣＵ２の第１信号変換ＩＣ２ｆから高速のシリアル信号を受信すると、その受信した高速のシリアル信号を再変換し、映像データ、シリアルデータ、汎用出力データに分離して出力する。
【００２６】
又、メータ装置３の信号変換ＩＣ３ｅは、シリアルデータ、汎用出力データを低速のシリアル信号に変換し、その変換した低速のシリアル信号を表示制御ＥＣＵ２の第１信号変換ＩＣ２ｆに送信する。表示制御ＥＣＵ２の第１信号変換ＩＣ２ｆは、メータ装置３の信号変換ＩＣ３ｅから低速のシリアル信号を受信すると、その受信した低速のシリアル信号を再変換し、シリアルデータ、汎用出力データに分離して出力する。
【００２７】
表示制御ＥＣＵ２の第１信号変換ＩＣ２ｆとセンターディスプレイ装置４の信号変換ＩＣ４ｅとの間も同軸ケーブル又は差動ケーブルにより接続されており、表示制御ＥＣＵ２の第１信号変換ＩＣ２ｆとメータ装置３の信号変換ＩＣ３ｅとの関係と同様である。
【００２８】
メータ装置３及びセンターディスプレイ装置４がＧＤＣを有しておらず、メータ装置３及びセンターディスプレイ装置４における映像の表示が表示制御ＥＣＵ２により制御される構成では、前述したように以下に示す不具合が想定される。即ち、メータ装置３及びセンターディスプレイ装置４においては、ディスプレイ３ｆ，４ｆに表示する映像が正規な映像であるか不正な映像であるかを判定不能である。そのため、表示制御ＥＣＵ３からメータ装置３及びセンターディスプレイ装置４に送信される映像データの信頼性を判定する仕組みが求められている。この点に鑑み、本実施形態では以下の構成を採用している。これ以降、表示制御ＥＣＵ２とメータ装置３との関係について説明するが、表示制御ＥＣＵ２とセンターディスプレイ装置４との関係についても同様である。
【００２９】
図３に示すように、表示制御ＥＣＵ２において、制御部２ａは、第１信頼性判定部１２ａ（信頼性判定部）と、第１所定処理実施部１２ｂとを有する。第１信頼性判定部１２ａは、表示制御ＥＣＵ２とメータ装置３との間で送受信される信号の通信途絶又は通信異常を判定し、第１信号変換ＩＣ２ｆからメータ装置３に送信される映像データの信頼性を判定する。第１所定処理実施部１２ｂは、信号変換ＩＣ２ｅからメータ装置３に送信される映像データの信頼性がないと第１信頼性判定部１２ａにより判定されると、第１所定処理を実施する。第１所定処理実施部１２ｂは、第１所定処理として第１信号変換ＩＣ２ｆをリセットしたりメータ装置３に報知動作を実施させたりバックライト３ｇを消灯させたりずる。
【００３０】
メータ装置３において、制御部３ａは、第２信頼性判定部１３ａ（信頼性判定部）と、第２所定処理実施部１３ｂとを有する。第２信頼性判定部１３ａは、メータ装置３と表示制御ＥＣＵ２との間で送受信される信号の通信途絶又は通信異常を判定し、表示制御ＥＣＵ２から信号変換ＩＣ３ｅにより受信される映像データの信頼性を判定する。第２所定処理実施部１３ｂは、表示制御ＥＣＵ２から信号変換ＩＣ３ｅにより受信される映像データの信頼性がないと第２信頼性判定部１３ａにより判定されると、第２所定処理を実施する。第２所定処理実施部１３ｂは、第２所定処理として信号変換ＩＣ３ｅをリセットしたり報知動作を実施したりバックライト３ｇを消灯したりする。
【００３１】
次に、上記した構成の作用について図４から図９を参照して説明する。ここでは、表示制御ＥＣＵ２及びメータ装置３が起動後において送受信する演算結果及び映像データを判定し、映像データの信頼性を判定する場合について説明する。
【００３２】
メータ装置３において、制御部３ａは、起動状態において、車両通信、ＯＤＯ／ＴＲＩＰスイッチ１０のオンオフ等の情報を演算し（Ｂ１）、その演算した演算結果を信号変換ＩＣ３ｅから表示制御ＥＣＵ２に送信させる（Ｂ２）。
【００３３】
表示制御ＥＣＵ２において、制御部２ａは、起動状態において、メータ装置３からの演算結果の受信を第１信号変換ＩＣ２ｆにより検知すると（Ａ１）、その演算結果を予め規定されている規定時間内に受信したか否かを判定する（Ａ２、第１信頼性判定手順）。制御部２ａは、演算結果を規定時間内に受信しなかったと判定すると（Ａ２：ＮＯ）、エラーカウント値をカウントアップし、前回値を保持し（Ａ３）、カウントアップしたエラーカウント値が規定値以下であるか否かを判定する（Ａ４、第１信頼性判定手順）。制御部２ａは、エラーカウント値が規定値以下であると判定すると（Ａ４：ＹＥＳ）、ステップＡ１に戻り、ステップＡ１以降を繰り返す。
【００３４】
制御部２ａは、エラーカウント値が規定値以下でないと判定すると（Ａ４：ＮＯ）、第１信号変換ＩＣ２ｆをリセットし、表示制御ＥＣＵ２とメータ装置３との間の通信をリセットする（Ａ５、第１所定処理実施手順）。即ち、制御部２ａは、連続して演算結果を規定時間内に受信しなかった回数を示すエラーカウント値が規定値を超えたことで通信途絶を判定すると、表示制御ＥＣＵ２とメータ装置３との間の通信をリセットする。制御部２ａは、表示制御ＥＣＵ２とメータ装置３との間の通信をリセットすると、通信復帰待機状態に移行し、通信復帰を待機する。
【００３５】
制御部２ａは、演算結果を規定時間内に受信したと判定すると（Ａ２：ＹＥＳ）、例えばチェックサムを演算し、その演算結果を構成する演算データが正常であるか否かを判定する（Ａ６、第１信頼性判定手順）。制御部２ａは、演算データが正常でないと判定すると（Ａ６：ＮＯ）、エラーカウント値をカウントアップし、前回値を保持し（Ａ７）、カウントアップしたエラーカウント値が規定値以下であるか否かを判定する（Ａ８、第１信頼性判定手順）。制御部２ａは、エラーカウント値が規定値以下であると判定すると（Ａ８：ＹＥＳ）、ステップＡ１に戻り、ステップＡ１以降を繰り返す。
【００３６】
制御部２ａは、エラーカウント値が規定値以下でないと判定すると（Ａ８：ＮＯ）、第１信号変換ＩＣ２ｆをリセットし、表示制御ＥＣＵ２とメータ装置３との間の通信をリセットする（Ａ９、第１所定処理実施手順）。即ち、制御部２ａは、連続して演算データが正常でなかった回数を示すエラーカウント値が規定値を超えたことで通信異常を判定すると、表示制御ＥＣＵ２とメータ装置３との間の通信をリセットする。制御部２ａは、表示制御ＥＣＵ２とメータ装置３との間の通信をリセットすると、通信復帰待機状態に移行し、通信復帰を待機する。制御部２ａは、演算データが正常であると判定すると（Ａ６：ＹＥＳ）、その演算データを用いて映像データを更新し（Ａ１０）、映像データを信号変換ＩＣ２ｅからメータ装置に送信させる（Ａ１１）。
【００３７】
メータ装置３において、制御部３ａは、表示制御ＥＣＵ２からの映像データの受信を信号変換ＩＣ３ｅにより検知すると（Ｂ３）、その映像データを予め規定されている規定時間内に受信したか否かを判定する（Ｂ４、第２信頼性判定手順）。制御部３ａは、映像データを規定時間内に受信しなかったと判定すると（Ｂ４：ＮＯ）、エラーカウント値をカウントアップし、前回値を保持し（Ｂ５）、カウントアップしたエラーカウント値が規定値以下であるか否かを判定する（Ｂ６、第２信頼性判定手順）。
【００３８】
制御部３ａは、エラーカウント値が規定値以下であると判定すると（Ｂ６：ＹＥＳ）、ステップＢ２に戻り、ステップＢ２以降を繰り返す。制御部３ａは、エラーカウント値が規定値以下でないと判定すると（Ｂ６：ＮＯ）、信号変換ＩＣ３ｅをリセットし、メータ装置３と表示制御ＥＣＵ２との間の通信をリセットする（Ｂ７、第２所定処理実施手順）。即ち、制御部３ａは、連続して映像データを規定時間内に受信しなかった回数を示すエラーカウント値が規定値を超えたことで通信途絶を判定すると、メータ装置３と表示制御ＥＣＵ２との間の通信をリセットする。制御部３ａは、メータ装置３と表示制御ＥＣＵ２との間の通信をリセットすると、通信復帰待機状態に移行し、通信復帰を待機する。
【００３９】
制御部３ａは、映像データを規定時間内に受信したと判定すると（Ｂ４：ＹＥＳ）、例えばチェックサムを演算し、その映像データが正常であるか否かを判定する（Ｂ８、第２信頼性判定手順）。制御部３ａは、映像データが正常でないと判定すると（Ｂ８：ＮＯ）、エラーカウント値をカウントアップし、前回値を保持し（Ｂ９）、カウントアップしたエラーカウント値が規定値以下であるか否かを判定する（Ｂ１０、第２信頼性判定手順）。制御部３ａは、エラーカウント値が規定値以下であると判定すると（Ｂ１０：ＹＥＳ）、ステップＢ２に戻り、ステップＢ２以降を繰り返す。
【００４０】
制御部３ａは、エラーカウント値が規定値以下でないと判定すると（Ｂ１０：ＮＯ）、信号変換ＩＣ３ｅをリセットし、メータ装置３と表示制御ＥＣＵ２との間の通信をリセットする（Ｂ１１、第２所定処理実施手順）。即ち、制御部３ａは、連続して映像データが正常でなかった回数を示すエラーカウント値が規定値を超えたことで通信異常を判定すると、メータ装置３と表示制御ＥＣＵ２との間の通信をリセットする。制御部３ａは、メータ装置３と表示制御ＥＣＵ２との間の通信をリセットすると、通信復帰待機状態に移行し、通信復帰を待機する。制御部３ａは、映像データが正常であると判定すると（Ｂ８：ＹＥＳ）、その映像データに対応する映像をディスプレイ３ｆに表示させる（Ｂ１２）。
【００４１】
上記したように、表示制御ＥＣＵ２において、制御部２ａは、連続して演算結果を規定時間内に受信しなかった回数が規定値を超えたことで通信途絶を判定したり、連続して演算データが正常でなかった回数が規定値を超えたことで通信異常を判定したりすると、第１信号変換ＩＣ２ｆをリセットし、表示制御ＥＣＵ２とメータ装置３との間の通信をリセットする。又、メータ装置３において、制御部３ａは、連続して映像データを規定時間内に受信しなかった回数が規定値を超えたことで通信途絶を判定したり、連続して映像データが正常でなかった回数が規定値を超えるたことで通信異常を判定したりすると、信号変換ＩＣ３ｅをリセットし、メータ装置３と表示制御ＥＣＵ２との間の通信をリセットする。
【００４２】
尚、以上は、表示制御ＥＣＵ２において、制御部２ａが通信途絶又は通信異常を判定した場合に、表示制御ＥＣＵ２とメータ装置３との間の通信をリセットする場合を説明したが、メータ装置３に報知動作を実施させたりバックライト３ｇを消灯させたりしても良く、それらを組み合わせても良い。
【００４３】
図６に示すように、表示制御ＥＣＵ２において、制御部２ａは、通信途絶又は通信異常を判定すると、報知信号を第１信号変換ＩＣ２ｆからメータ装置３に送信させる（Ａ２１）。メータ装置３において、制御部３ａは、表示制御ＥＣＵ２からの報知信号の受信を検知すると、通信途絶又は通信異常を報知する報知動作を実施する（Ｂ２１）。制御部３ａは、報知動作として例えば警告アイコンをディスプレイ３ｆに表示させたり警告音をスピーカ３ｉから出力させたりインジケータ３ｋを点滅させたりアンビエントを実施してメータ装置３の外周部を赤色点灯させたりする。尚、例えば表示制御ＥＣＵ２やメータ装置３がスマートフォンやタブレット等のモバイル機器とＢｌｕｅｔｏｏｔｈ（登録商標）やＷｉＦｉ（登録商標）等により無線通信可能な構成であれば、制御部２ａは、報知信号をモバイル機器に直接送信させたりメータ装置３を介してモバイル機器に送信させたりすることで、通信途絶又は通信異常を報知する報知動作をモバイル機器に実施させても良い。
【００４４】
図７に示すように、表示制御ＥＣＵ２において、制御部２ａは、通信途絶又は通信異常を判定すると、バックライト消灯要求を第１信号変換ＩＣ２ｆからメータ装置３に送信させる（Ａ２２）。メータ装置３において、制御部３ａは、表示制御ＥＣＵ２からのバックライト消灯要求の受信を検知すると、バックライト３ｇを消灯する（Ｂ２２）。
【００４５】
又、メータ装置３において、制御部３ａが通信途絶又は通信異常を判定した場合に、表示制御ＥＣＵ２とメータ装置３との間の通信をリセットする場合を説明したが、報知動作を実施したりバックライト３ｇを消灯したりしても良く、それらを組み合わせても良い。
【００４６】
図８に示すように、メータ装置３において、制御部３ａは、通信途絶又は通信異常を判定すると、通信途絶又は通信異常を報知する報知動作を実施する（Ｂ３１）。この場合も、制御部３ａは、報知動作として例えば警告アイコンをディスプレイ３ｆに表示させたり警告音をスピーカ３ｉから出力させたりインジケータ３ｋを点滅させたりアンビエントを実施してメータ装置３の外周部を赤色点灯させたりする。又、例えばメータ装置３や表示制御ＥＣＵ２がスマートフォンやタブレット等のモバイル機器とＢｌｕｅｔｏｏｔｈやＷｉＦｉ等により無線通信可能な構成であれば、制御部３ａは、報知信号をモバイル機器に直接送信させたり表示制御ＥＣＵ２を介してモバイル機器に送信させたりすることで、通信途絶又は通信異常を報知する報知動作をモバイル機器に実施させても良い。
【００４７】
図９に示すように、メータ装置３において、制御部３ａは、通信途絶又は通信異常を判定すると、バックライト３ｇを消灯する（Ｂ３２）。
【００４８】
以上に説明したように第１実施形態によれば、次に示す作用効果を得ることができる。表示制御ＥＣＵ２において、メータ装置３から演算結果を受信する際に通信途絶又は通信異常を判定すると、表示制御ＥＣＵ２からメータ装置３に送信される映像データの信頼性がないと判定し、表示制御ＥＣＵ２とメータ装置３との間の通信をリセットしたりメータ装置３に報知動作を実施させたりバックライト３ｇを消灯させたりするようにした。これにより、表示制御ＥＣＵ２からメータ装置３に送信される映像データの信頼性がないと判定したときに適切に対処することができる。
【００４９】
又、メータ装置３において、表示制御ＥＣＵ２から映像データを受信する際に通信途絶又は通信異常を判定すると、表示制御ＥＣＵ２からメータ装置３に送信される映像データの信頼性がないと判定し、メータ装置３と表示制御ＥＣＵ２との間の通信をリセットしたり報知動作を実施したりバックライト３ｇを消灯したりするようにした。これにより、表示制御ＥＣＵ２からメータ装置３に送信される映像データの信頼性がないと判定したときに適切に対処することができる。
【００５０】
（第２実施形態）
次に、第２実施形態について図１０及び図１１を参照して説明する。尚、上記した第１実施形態と同一部分については説明を省略し、異なる部分について説明する。第１実施形態は、表示制御ＥＣＵ２及びメータ装置３が起動後において送受信する演算結果及び映像データを判定し、映像データの信頼性を判定する構成であるが、第２実施形態は、表示制御ＥＣＵ２及びメータ装置３が起動要因の発生時や通信の復帰時に送受信する信号を判定し、映像データの信頼性を判定する構成である。
【００５１】
図１０及び図１１に示すように、メータ装置３において、制御部３ａは、起動要因の発生又は通信の復帰を検知すると、信号変換ＩＣ３ｅの通信回路の起動処理を開始する（Ｂ４１）。制御部３ａは、信号変換ＩＣ３ｅの通信回路の起動処理を完了すると、断線を検知したか否かを判定する（Ｂ４２）。制御部３ａは、断線を検知していない判定すると（Ｂ４２：ＮＯ）、表示制御ＥＣＵ２からの描画データの受信を待機する。制御部３ａは、断線を検知したと判定すると（Ｂ４２：ＹＥＳ）、ステップＢ４１に戻り、信号変換ＩＣ３ｅをリセットし、ステップＢ４１以降を繰り返す。
【００５２】
表示制御ＥＣＵ２において、制御部２ａは、起動要因の発生又は通信の復帰を検知すると、第１信号変換ＩＣ２ｆの通信回路の起動処理を開始する（Ａ４１）。制御部２は、第１信号変換ＩＣ２ｆの通信回路の起動処理を完了すると、断線を検知したか否かを判定する（Ａ４２）。制御部２ａは、断線を検知していない判定すると（Ａ４２：ＮＯ）、描画データを第１信号変換ＩＣ２ｆからメータ装置３に送信させ（Ａ４３）、メータ装置３からのステータス信号の受信を待機する。制御部３ａは、断線を検知したと判定すると（Ａ４２：ＹＥＳ）、ステップＡ４１に戻り、第１信号変換ＩＣ２ｆをリセットし、ステップＡ４１以降を繰り返す。
【００５３】
メータ装置３において、制御部３ａは、表示制御ＥＣＵ２からの描画データの受信を信号変換ＩＣ３ｅにより検知すると（Ｂ４３）、その描画データの受信が予め規定されている規定時間内であったか否かを判定する（Ｂ４４）。制御部３ａは、その描画データの受信が規定時間内であったと判定すると（Ｂ４４：ＹＥＳ）、描画データの受信が正常であったことを示すステータス信号を信号変換ＩＣ２ｅから表示制御ＥＣＵ２に送信させ（Ｂ４５）、表示制御ＥＣＵ２からのステータス信号の受信を待機する。制御部３ａは、その描画データの受信が規定時間内でなかったと判定すると（Ｂ４４：ＮＯ）、ステップＢ４１に戻り、信号変換ＩＣ３ｅをリセットし、ステップＢ４１以降を繰り返す。
【００５４】
表示制御ＥＣＵ２において、制御部２ａは、メータ装置３からのステータス信号の受信を第１信号変換ＩＣ２ｆにより検知すると（Ａ４４）、そのステータス信号の受信が予め規定されている規定時間内であったか否かを判定する（Ａ４５）。制御部２ａは、そのステータス信号の受信が規定時間内であったと判定すると（Ａ４５：ＹＥＳ）、ステータス信号の受信が正常であったことを示すステータス信号を第１信号変換ＩＣ２ｆからメータ装置３に送信させ（Ａ４６）、メータ装置３からのデータの受信を待機する。制御部２ａは、そのステータス信号の受信が規定時間内でなかったと判定すると（Ａ４５：ＮＯ）、ステップＡ４１に戻り、第１信号変換ＩＣ２ｆをリセットし、ステップＡ４１以降を繰り返す。
【００５５】
メータ装置３において、制御部３ａは、表示制御ＥＣＵ２からのステータス信号の受信を信号変換ＩＣ３ｅにより検知すると（Ｂ４６）、そのステータス信号の受信が予め規定されている規定時間内であったか否かを判定する（Ｂ４７）。制御部３ａは、そのステータス信号の受信が規定時間内であったと判定すると（Ｂ４７：ＹＥＳ）、シリアルデータを信号変換ＩＣ３ｅから表示制御ＥＣＵ２に送信させ（Ｂ４８）、表示制御ＥＣＵ２からのシリアルデータの受信を待機する。制御部３ａは、そのステータス信号の受信が規定時間内でなかったと判定すると（Ｂ４７：ＮＯ）、ステップＢ４１に戻り、信号変換ＩＣ３ｅをリセットし、ステップＢ４１以降を繰り返す。
【００５６】
表示制御ＥＣＵ２において、制御部２ａは、メータ装置３からのシリアルデータの受信を第１信号変換ＩＣ２ｆにより検知すると（Ａ４７）、そのシリアルデータの受信が予め規定されている規定時間内であったか否かを判定する（Ａ４８）。制御部２ａは、そのシリアルデータの受信が規定時間内であったと判定すると（Ａ４８：ＹＥＳ）、シリアルデータを第１信号変換ＩＣ２ｆからメータ装置３に送信させ（Ａ４９）、バックライト点灯要求を第１信号変換ＩＣ２ｆからメータ装置３に送信させる（Ａ３０）。制御部２ａは、そのシリアルデータデータの受信が規定時間内でなかったと判定すると（Ａ４８：ＮＯ）、ステップＡ４１に戻り、第１信号変換ＩＣ２ｆをリセットし、ステップＡ４１以降を繰り返す。
【００５７】
メータ装置３において、制御部３ａは、表示制御ＥＣＵ２からのシリアルデータの受信を信号変換ＩＣ３ｅにより検知すると（Ｂ４９）、そのシリアルデータの受信が予め規定されている規定時間内であったか否かを判定する（Ｂ５０）。制御部３ａは、そのシリアルデータの受信が規定時間内であったと判定すると（Ｂ５０：ＹＥＳ）、表示制御ＥＣＵ２からのバッライト点灯要求の受信を待機する。制御部３ａは、そのシリアルデータの受信が規定時間内でなかったと判定すると（Ｂ５０：ＮＯ）、ステップＢ４１に戻り、信号変換ＩＣ３ｅをリセットし、ステップＢ４１以降を繰り返す。
【００５８】
メータ装置３において、制御部３ａは、表示制御ＥＣＵ２からのバックライト点灯要求の受信を信号変換ＩＣ３ｅにより検知すると（Ｂ５１）、そのバックライト点灯要求の受信が予め規定されている規定時間内であったか否かを判定する（Ｂ５２）。制御部３ａは、そのバックライト点灯要求の受信が規定時間内であったと判定すると（Ｂ５２：ＹＥＳ）、バックライト３ｇを点灯させる（Ｂ５３）。制御部３ａは、そのバックライト点灯要求の受信が規定時間内でなかったと判定すると（Ｂ５２：ＮＯ）、ステップＢ４１に戻り、信号変換ＩＣ３ｅをリセットし、ステップＢ４１以降を繰り返す。
【００５９】
上記したように、表示制御ＥＣＵ２において、制御部２ａは、メータ装置３からのステータス信号、シリアルデータを規定時間内に受信しなかったことで通信途絶又は通信異常を判定すると、第１信号変換ＩＣ２ｆをリセットし、表示制御ＥＣＵ２とメータ装置３との間の通信をリセットする。この場合も、制御部２ａは、表示制御ＥＣＵ２とメータ装置３との間の通信をリセットするだけでなく、メータ装置３に報知動作を実施させたりバックライト３ｇを消灯させたりしても良く、それらを組み合わせても良い。
【００６０】
メータ装置３において、制御部３ａは、表示制御ＥＣＵ２からの描画データ、ステータス信号、シリアルデータ、バックライト点灯要求を規定時間内に受信しなかったことで通信途絶又は通信異常を判定すると、信号変換ＩＣ３ｅをリセットし、メータ装置３と表示制御ＥＣＵ２との間の通信をリセットする。この場合も、制御部３ａは、メータ装置３と表示制御ＥＣＵ２との間の通信をリセットするだけでなく、報知動作を実施したりバックライト３ｇを消灯したりしても良く、それらを組み合わせても良い。
【００６１】
以上に説明したように第２実施形態によれば、表示制御ＥＣＵ２において、起動要因の発生時や通信の復帰時にメータ装置３から送信された信号を規定時間内に受信しなかったことで通信途絶又は通信異常を判定すると、これ以降に表示制御ＥＣＵ２からメータ装置３に送信される映像データの信頼性がないと判定し、表示制御ＥＣＵ２とメータ装置３との間の通信をリセットしたりメータ装置３に報知動作を実施させたりバックライト３ｇを消灯させたりするようにした。これにより、第１実施形態と同様の作用効果を得ることができる。
【００６２】
又、メータ装置３において、起動要因の発生時や通信の復帰時に表示制御ＥＣＵ２から送信された信号を規定時間内に受信しなかったことで通信途絶又は通信異常を判定すると、これ以降に表示制御ＥＣＵ２からメータ装置３に送信される映像データの信頼性がないと判定し、メータ装置３と表示制御ＥＣＵ２との間の通信をリセットしたり報知動作を実施したりバックライト３ｇを消灯したりするようにした。これにより、第１実施形態と同様の作用効果を得ることができる。
【００６３】
（第３実施形態）
次に、第３実施形態について図１２から図１６を参照して説明する。尚、上記した第１実施形態と同一部分については説明を省略し、異なる部分について説明する。第１実施形態は、表示制御ＥＣＵ２とメータ装置３との間で送受信される信号を判定し、表示制御ＥＣＵ２からメータ装置３に送信される映像データの信頼性を判定する構成であるが、第３実施形態は、表示制御ＥＣＵ２の内部において制御部２ａと第１信号変換ＩＣ２ｆとの間で入出力される信号を判定し、メータ装置３の内部において制御部３ａと信号変換ＩＣ３ｅとの間で入出力される信号を判定し、表示制御ＥＣＵ２からメータ装置３に送信される映像データの信頼性を判定する構成である。
【００６４】
図１２に示すように、表示制御ＥＣＵ２において、制御部２ａは、第１信号変換ＩＣ２ｆとの間で、断線検知信号、表示制御ＥＣＵ２の状態を示すＨＣＵステータス信号、メータ装置３の状態を示すメータステータス信号、バックライト点灯要求、バックライト消灯要求、シリアルデータを入出力する。メータ装置３において、制御部３ａは、信号変換ＩＣ３ｅとの間で、断線検知信号、ＨＣＵステータス信号、メータステータス信号、バックライト点灯要求、バックライト消灯要求、シリアルデータを入出力する。
【００６５】
表示制御ＥＣＵ２において、制御部２ａが行う処理として、断線検知信号の入力を検知した場合、シリアルデータの通信途絶又は通信異常を検知した場合について説明する。
【００６６】
（１−１）制御部２ａが断線検知信号の入力を検知した場合
図１３に示すように、制御部２ａは、第１信号変換ＩＣ２ｆからの断線検知信号の入力を検知すると、バックライト消灯要求を第１信号変換ＩＣ２ｆに出力し、バックライト消灯要求を第１信号変換ＩＣ２ｆからメータ装置３に送信させ（Ａ６１）、メータ装置３のバックライト３ｇを消灯させる。制御部２ａは、第１信号変換ＩＣ２ｆをリセットし、表示制御ＥＣＵ２とメータ装置３との間の通信をリセットし（Ａ６２）、通信復帰待機状態に移行し、通信復帰を待機する。
【００６７】
（１−２）制御部２ａがシリアルデータの通信途絶又は通信異常を検知した場合
図１４に示すように、制御部２ａは、シリアルデータの通信途絶又は通信異常を検知すると、シリアルデータの通信途絶又は通信異常を示すＨＣＵステータス信号を第１信号変換ＩＣ２ｆに出力し、ＨＣＵステータス信号を第１信号変換ＩＣ２ｆからメータ装置３に送信させる（Ａ７１）。制御部２ａは、バックライト消灯要求を第１信号変換ＩＣ２ｆに出力し、バックライト消灯要求を第１信号変換ＩＣ２ｆからメータ装置３に送信させ（Ａ７２）、メータ装置３のバックライト３ｇを消灯させる。制御部２ａは、第１信号変換ＩＣ２ｆをリセットし、表示制御ＥＣＵ２とメータ装置３との間の通信をリセットし（Ａ７３）、通信復帰待機状態に移行し、通信復帰を待機する。この場合も、制御部２ａは、表示制御ＥＣＵ２とメータ装置３との間の通信をリセットするだけでなく、メータ装置３に報知動作を実施させても良く、それらを組み合わせても良い。
【００６８】
メータ装置３において、制御部３ａが行う処理として、断線検知信号の入力を検知した場合、シリアルデータの通信途絶又は通信異常を検知した場合について説明する。
【００６９】
（２−１）制御部３ａが断線検知信号の入力を検知した場合
図１５に示すように、制御部３ａは、信号変換ＩＣ３ｅからの断線検知信号の入力を検知すると、バックライト３ｇを消灯させる（Ｂ６１）。制御部３ａは、信号変換ＩＣ３ｅをリセットし、メータ装置３と表示制御ＥＣＵ２との間の通信をリセットし（Ｂ６２）、通信復帰待機状態に移行し、通信復帰を待機する。
【００７０】
（２−２）制御部３ａがシリアルデータの通信途絶又は通信異常を検知した場合
図１６に示すように、制御部３ａは、シリアルデータの通信途絶又は通信異常を検知すると、シリアルデータの通信途絶又は通信異常を示すメータステータス信号を信号変換ＩＣ３ｅに出力し、メータステータス信号を信号変換ＩＣ３ｅから表示制御ＥＣＵ２に送信させる（Ｂ７１）。制御部３ａは、バックライト３ｇを消灯させる（Ｂ７２）。制御部３ａは、信号変換ＩＣ３ｅをリセットし、メータ装置３と表示制御ＥＣＵ２との間の通信をリセットし（Ｂ７３）、通信復帰待機状態に移行し、通信復帰を待機する。この場合も、制御部３ａは、信号変換ＩＣ３ｅをリセットし、メータ装置３と表示制御ＥＣＵ２との間の通信をリセットするだけでなく、報知動作を実施しても良く、それらを組み合わせても良い。
【００７１】
以上に説明したように第３実施形態によれば、表示制御ＥＣＵ２において、制御部２ａと第１信号変換ＩＣ２ｆとの間で入出力される信号の通信途絶又は通信異常を判定すると、表示制御ＥＣＵ２からメータ装置３に送信される映像データの信頼性がないと判定し、表示制御ＥＣＵ２とメータ装置３との間の通信をリセットしたりメータ装置３に報知動作を実施させたりバックライト３ｇを消灯させたりするようにした。これにより、第１実施形態と同様の作用効果を得ることができる。
【００７２】
又、メータ装置３において、制御部３ａと信号変換ＩＣ３ｅとの間で入出力される信号の通信途絶又は通信異常を判定すると、表示制御ＥＣＵ２からメータ装置３に送信される映像データの信頼性がないと判定し、表示制御ＥＣＵ２とメータ装置３との間の通信をリセットしたり報知動作を実施したりバックライト３ｇを消灯したりようにした。これにより、第１実施形態と同様の作用効果を得ることができる。
【００７３】
（その他の実施形態）
本開示は、実施例に準拠して記述されたが、当該実施例や構造に限定されるものではないと理解される。本開示は、様々な変形例や均等範囲内の変形をも包含する。加えて、様々な組み合わせや形態、更には、それらに一要素のみ、それ以上、或いはそれ以下を含む他の組み合わせや形態をも、本開示の範疇や思想範囲に入るものである。
【００７４】
メータ装置３のディスプレイ３ｆ及びセンターディスプレイ装置４のディスプレイ４ｆとして、バックライト３ｇ，４ｇを必要とするＴＦＴ液晶ディスプレイを例示したが、バックライト３ｇ，４ｇを必要としない有機ＥＬ（Electro Luminescence）ディスプレイを採用する構成でも良い。
【００７５】
表示制御ＥＣＵ２からメータ装置３に送信される映像データの信頼性がないと判定した場合に限らず、メータ装置３のディスプレイ３ｆの表示機能の故障を判定した場合に、メータ装置３が報知動作を実施しても良い。その場合も、報知動作として、例えば警告アイコンをディスプレイ３ｆに表示させたり、警告音をスピーカ３ｉから出力させたり、インジケータ３ｋを点滅させたり、アンビエントを実施してメータ装置３の外周部を赤色点灯させたりしても良い。又、例えば表示制御ＥＣＵ２やメータ装置３がモバイル機器と無線通信可能な構成であれば、表示制御ＥＣＵ２やメータ装置３が報知信号をモバイル機器に送信することで、ディスプレイ３ｆの表示機能の故障をモバイル機器が報知しても良い。
【００７６】
センターディスプレイ装置４のディスプレイ４ｆの表示機能の故障を判定した場合に、メータ装置３に報知動作を実施させても良い。その場合も、報知動作として、例えば警告アイコンをディスプレイ３ｆに表示させたり、警告音をスピーカ３ｉから出力させたり、インジケータ３ｋを点滅させたり、アンビエントを実施してメータ装置３の外周部を赤色点灯させたりしても良い。又、例えば表示制御ＥＣＵ２やメータ装置３がモバイル機器と無線通信可能な構成であれば、表示制御ＥＣＵ２やメータ装置３が報知信号をモバイル機器に送信することで、ディスプレイ３ｆの表示機能の故障をモバイル機器が報知しても良い。
【００７７】
本開示に記載の制御部及びその手法は、コンピュータプログラムにより具体化された一つ乃至は複数の機能を実行するようにプログラムされたプロセッサ及びメモリを構成することにより提供された専用コンピュータにより実現されても良い。或いは、本開示に記載の制御部及びその手法は、一つ以上の専用ハードウェア論理回路によりプロセッサを構成することにより提供された専用コンピュータにより実現されても良い。若しくは、本開示に記載の制御部及びその手法は、一つ乃至は複数の機能を実行するようにプログラムされたプロセッサ及びメモリと一つ以上のハードウェア論理回路により構成されたプロセッサとの組み合わせにより構成された一つ以上の専用コンピュータにより実現されても良い。又、コンピュータプログラムは、コンピュータにより実行されるインストラクションとして、コンピュータ読み取り可能な非遷移有形記録媒体に記憶されていても良い。
【符号の説明】
【００７８】
図面中、１は表示制御システム、２は表示制御ＥＣＵ（表示制御装置）、３はメータ装置（表示装置）、４はセンターディスプレイ装置（表示装置）、２ａは制御部（第１制御部）、２ｆ，２ｇは信号変換ＩＣ（映像データ送信部）、３ａは制御部（第２制御部）、３ｅは信号変換ＩＣ（映像データ受信部）、３ｆはディスプレイ（表示部）、３ｇはバックライト、４ａは制御部（第２制御部）、４ｅは信号変換ＩＣ（映像データ受信部）、４ｆはディスプレイ（表示部）、４ｇはバックライト、１２ａは第１信頼性判定部、１２ｂは第１所定処理実施部、１３ａは第２信頼性判定部、１３ｂは第２所定処理実施部である。
【図１】
2020147145.tif 000003
【図２】
2020147145.tif 000004
【図３】
2020147145.tif 000005
【図４】
2020147145.tif 000006
【図５】
2020147145.tif 000007
【図６】
2020147145.tif 000008
【図７】
2020147145.tif 000009
【図８】
2020147145.tif 000010
【図９】
2020147145.tif 000011
【図１０】
2020147145.tif 000012
【図１１】
2020147145.tif 000013
【図１２】
2020147145.tif 000014
【図１３】
2020147145.tif 000015
【図１４】
2020147145.tif 000016
【図１５】
2020147145.tif 000017
【図１６】
2020147145.tif 000018